(57)【特許請求の範囲】
【請求項１】
前方に開口部を持つ洗浄槽と、前記洗浄槽内に収納し食器を配置するかごと、前記かごを上に設置して移動可能とした支持台と、前記支持台を水平に保つように前記支持台に連結された支持部材と、前記洗浄槽の開口部の下方を回転中心として開閉する扉とを備え、前記支持台を前記洗浄槽に対して前後方向に移動可能とするとともに、前記支持台の後方と前記扉とを直線状の連結部材で連結し、前記扉を開く操作によって前記支持部材により、扉上で前記かごを前記支持台とともに前方かつ上方へ引き出せる構成とした食器洗い機。
【発明の詳細な説明】
【０００１】
【発明の属する技術分野】
本発明は、洗浄ノズルより食器に向けて洗浄水を噴射して食器を洗浄する食器洗い機に関する。
【０００２】
【従来の技術】
近年、洗浄槽内で回転するノズルから噴射される洗浄水によってかごに収納された食器を洗浄する食器洗い機が主流となっている。
【０００３】
従来、この種の食器洗い機は図３に示すように構成していた。以下、その構成について説明する。
【０００４】
図に示すように、洗浄槽１は、前方に開口部を有し、この開口部の下方両端を回転中心として回転する扉２により洗浄槽１の開口部を開閉するとともに、内部に洗浄水を噴射する洗浄ノズル３を回転自在に設けており、洗浄槽１内に食器４を収納するかご５を収納する。図３は扉２を閉じた状態を示しており、図の左側が食器洗い機の前方側、右側が後方側である。扉２の開時には、かご５は扉２上と洗浄槽１との間を前後方向に移動可能である。
【０００５】
洗浄槽１内の洗浄水はヒータ６によって温水化され、洗浄ポンプ７にて排水口８から吸い込まれ、洗浄ノズル３に圧送される。そして、回転する洗浄ノズル３より勢いよく噴射される洗浄水によって、かご５に収納された食器４を洗浄するように構成している。
【０００６】
【発明が解決しようとする課題】
このような従来の食器洗い機では、食器４をかご５に出し入れする場合、扉２を開いて扉２上にかご５全体を引き出して、食器４をかご５に出し入れする。このとき、扉２を開く動作とかご５を引き出す動作という２つの動作が必要となり、洗浄槽内１へ食器４を収納する場合も同様の動作が要求される。
【０００７】
また、床置き型の食器洗い機の場合、食器４を収納する洗浄槽１の大きさを確保するために、洗浄槽１の開口部はできるだけ大きくすることが求められるため、洗浄槽１の開口部の下端すなわち扉２の支点は床からおよそ２５〜３５ｃｍの高さとなり、この結果、食器４を出し入れするときのかご５の位置も同様の高さとなる。このため、食器４をかご５に出し入れするときに前傾姿勢をとる必要があり、このときの動線が上下方向および左右方向に振れる。
【０００８】
本発明は、上記課題を解決するもので、かごに食器を出し入れする時の動作を減らすことを第１の目的としている。
【０００９】
また、食器の出し入れ時に必要とされる前傾姿勢をより楽にすることにより、動線の上下方向の振れ幅を小さくすることを第２の目的としている。
【００１０】
【課題を解決するための手段】
本発明の食器洗い機における前記従来の課題を解決するための手段は、前方に開口部を持つ洗浄槽と、前記洗浄槽内に収納し食器を配置するかごと、前記かごを上に設置して移動可能とした支持台と、前記支持台を水平に保つように前記支持台に連結された支持部材と、前記洗浄槽の開口部の下方を回転中心として開閉する扉とを備え、前記支持台を前記洗浄槽に対して前後方向に移動可能とするとともに、前記支持台の後方と前記扉とを直線状の連結部材で連結し、前記扉を開く操作によって前記支持部材により、扉上で前記かごを前記支持台とともに前方かつ上方へ引き出せる構成としたものである。
【００１１】
これにより、扉を開くという１つの動作により、同時にかごを洗浄槽外へ引き出すことができ、かごに食器を出し入れする時の動作を減らすことができるとともに、扉を開くと同時にかごを洗浄槽外のより高い位置へ引き出すことができ、食器の出し入れ時に必要とされる前傾姿勢をより楽にすることができる。
【００１２】
【発明の実施の形態】
本発明の請求項１に記載の発明は、前方に開口部を持つ洗浄槽と、前記洗浄槽内に収納し食器を配置するかごと、前記かごを上に設置して移動可能とした支持台と、前記支持台を水平に保つように前記支持台に連結された支持部材と、前記洗浄槽の開口部の下方を回転中心として開閉する扉とを備え、前記支持台を前記洗浄槽に対して前後方向に移動可能とするとともに、前記支持台の後方と前記扉とを直線状の連結部材で連結し、前記扉を開く操作によって前記支持部材により、扉上で前記かごを前記支持台とともに前方かつ上方へ引き出せる構成としたものであり、扉を開くという１つの動作によってかごを洗浄槽外へ引き出すことができ、かつかごは洗浄槽外へ引き出したときには上方に移動しているため、食器の出し入れときに必要とされる前傾姿勢をより楽にすることができ、動線の上下方向の振れ幅をより小さくすることができる。
【００１３】
【実施例】
以下、本発明の実施例について、図面を参照しながら説明する。なお、従来例と同じ構成のものは同一符号を付して説明を省略する。
【００１４】
（実施例１）
図１に示すように、かご５は洗浄槽１内に収納し、食器４を配置するもので、支持台９の上に設置している。支持台９の左右両側は洗浄槽１内の左右の側壁の下方に設けた水平な溝１０内を移動することで、前後方向にのみ移動可能となるよう構成している。支持台９の後方に第１の連結部１１を設け、この第１の連結部１１には直線状の連係部材１３を回転自在に連結しており、連係部材１３の他端は扉２の上方に設けた第２の連結部１２に回転自在に連結している。
【００１５】
上記構成において作用を説明すると、かご５に食器４を出し入れする場合、扉２を前方へ開くと、第２の連結部１２が前方下方へ移動するのに伴い、連係部材１３によって連係されている第１の連結部１１が前方上方へ引っ張られる。このとき、支持台９の動きが溝１０によって前後方向にのみ規制されているため、第１の連結部１１は前方へ移動する。これに伴って、支持台９と共にかご５が前方へ移動する。このようにして、扉２を開くという動作のみでかご５が洗浄槽１外へ引き出される。
【００１６】
このように本実施例によれば、扉２を開く操作によってかご５を前方へ引き出せる構成としたので、扉２を開くという１つの動作によってかご５を洗浄槽１外へ引き出すことができるため、かご５に食器４を出し入れするときの動作を減らすことができる。
【００１７】
なお、上記実施例では、かご５と支持台９を別部品によって構成しているが、両部品を一体化した構成の場合についても同様に実施可能である。
【００１８】
（実施例２）
図２に示すように、洗浄槽１の開口部の両側にガイド１４を設け、連係部材１３の動作範囲の一部において連係部材１３と当接するよう構成している。また、洗浄槽１内の左右の側壁の下方に、後方が水平で前方が扇形の形状とした溝１５を設けており、支持台９の左右両側が溝１５に沿って移動するようにしている。また、支持台９の内側に支持部材１６を設け、連結部材１７によって支持台９と連結されている。連結部材１７の一端は支持台９および支持部材１６の長穴１８に係合しており、支持部材１６が水平に保たれることによって、支持台９も水平に保たれる構成となっている。他の構成は上記実施例１と同じである。
【００１９】
上記構成において作用を説明すると、かご５に食器４を出し入れする場合、扉２を前方へ開くと、第２の連結部１２が前方下方へ移動するのに伴い、連係部材１３によって連係されている第１の連結部１１が前方上方へ引っ張られる。このとき、支持台９が洗浄槽１内の後方にある間は、支持台９の動きは溝１５の水平部分によって前後方向にのみ規制されているため、第１の連結部１１は前方へ移動する。
【００２０】
つぎに、連係部材１３がある傾斜に到達してガイド１４に当接すると、その後、第１の連結部１１は溝１５の扇形の部分によって前方上方へ移動する。これに伴って、支持台９と共にかご５が前方上方へ移動する。このとき、支持部材１６は扉２上を移動するため水平状態が保持され、連結部材１７を介して支持台９およびかご５も水平状態に保たれる。このようにして、扉２を開くという動作のみでかご５が洗浄槽外の上方へ引き出される。
【００２１】
このように本実施例によれば、扉２を開く操作によってかご５を前方かつ上方へ引き出せる構成としたので、扉２を開くという１つの動作によってかご５を洗浄槽１外へ引き出すことができ、かつかご５は洗浄槽１外へ引き出したときには上方に移動しているため、食器４の出し入れときに必要とされる前傾姿勢をより楽にすることができ、動線の上下方向の振れ幅をより小さくすることができる。
【００２２】
【発明の効果】
以上のように本発明の請求項１に記載の発明によれば、前方に開口部を持つ洗浄槽と、前記洗浄槽内に収納し食器を配置するかごと、前記かごを上に設置して移動可能とした支持台と、前記支持台を水平に保つように前記支持台に連結された支持部材と、前記洗浄槽の開口部の下方を回転中心として開閉する扉とを備え、前記支持台を前記洗浄槽に対して前後方向に移動可能とするとともに、前記支持台の後方と前記扉とを直線状の連結部材で連結し、前記扉を開く操作によって前記支持部材により、扉上で前記かごを前記支持台とともに前方かつ上方へ引き出せる構成としたから、扉を開くという１つの動作によってかごを洗浄槽外へ引き出すことができ、かつかごは洗浄槽外へ引き出したときには上方に移動しているため、食器の出し入れときに必要とされる前傾姿勢をより楽にすることができ、動線の上下方向の振れ幅をより小さくすることができる。
【図面の簡単な説明】
【図１】  本発明の第１の実施例の食器洗い機の縦断面図
【図２】  本発明の第２の実施例の食器洗い機の縦断面図
【図３】  従来の食器洗い機を示す縦断面図
【符号の説明】
１  洗浄槽
２  扉
４  食器
５  かご
９  支持台
【図１】
0003661323.tif 000002
【図２】
0003661323.tif 000003
【図３】
0003661323.tif 000004